(57)【要約】【課題】簡易な構造でかつ丈夫で、水密性が高い、従来にない形状、構造の浸水防止装置を提供する。【解決手段】本発明は、上記課題を解決するために、左右側面及び底面にパッキンを備え、横幅が異なる板状のプレート大、プレート中、プレート小、及び平面Ｌ字状の出隅プレート、前記出隅プレートと逆向きに凸の平面Ｌ字状の入隅プレートの内から選択される１種又は２種以上の各プレートを水平方向に連結させ、建造物への浸水の侵入口を塞ぐ形状とした着脱式の防水壁と、上部が前記各プレートの連結部の上部に係止され、底部がコンクリートの略平坦面に固定される側面略三角形状の支柱と、前記各プレートを連結するクランプと、からなることを特徴とする浸水防止装置の構成とした。【選択図】図１
2015055060.tif 000002
【特許請求の範囲】
【請求項１】
左右側面及び底面にパッキンを備え、横幅が異なる板状のプレート大、プレート中、プレート小、及び平面Ｌ字状の出隅プレート、前記出隅プレートと逆向きに凸の平面Ｌ字状の入隅プレートの内から選択される１種又は２種以上の各プレートを水平方向に連結させ、建造物への浸水の侵入口を塞ぐ形状とした着脱式の防水壁と、
上部が前記各プレートの連結部の上部に係止され、底部がコンクリートの略平坦面に固定される側面略三角形状の支柱と、
前記各プレートを連結するクランプと、
からなることを特徴とする浸水防止装置。
【請求項２】
前記プレート大が、
板と、前記板の背面側の外周部に立設した四角形状の枠と、前記枠の左右側面及び底面に設けたゴム状のパッキンと、前記枠の一側面の内側に設けられ前記クランプを係止する上下２つのＬ字板とからなり、
前記プレート中が、
板と、前記板の背面側の外周部に立設した四角形状の枠と、前記枠の左右側面及び底面に設けたゴム状のパッキンと、前記枠の一側面の内側に設けられ前記クランプを係止する上下２つのＬ字板とからなり、
前記プレート小が、
板と、前記板の背面側の外周部に立設した四角形状の枠と、前記枠の左右側面及び底面に設けたゴム状のパッキンと、前記枠の一側面の内側に設けられ前記クランプを係止する上下２つのＬ字板とからなり、
前記出隅プレートが、
平面Ｌ字の板と、前記Ｌ字板の背面側の外周部に立設したＬ字枠と、前記Ｌ字枠の左右側面及び底面に設けたゴム状のパッキンと、前記Ｌ字枠の一側面の内側に設けられ前記クランプを係止する上下２つのＬ字板とからなり、
前記入隅プレートが、
前記出隅プレートと逆向きに凸の平面Ｌ字の板と、前記Ｌ字板の背面側の外周部に立設したＬ字枠と、前記Ｌ字枠の左右側面及び底面に設けたゴム状のパッキンと、前記Ｌ字枠の一側面の内側に設けられ前記クランプを係止する上下２つのＬ字板とからなる、
ことを特徴とする請求項１に記載の浸水防止装置。
【請求項３】
前記プレート大及び前記プレート中の板の背面側に、上下方向に２本の補強の縦枠を備えることを特徴とする請求項１又は請求項２に記載の浸水防止装置。
【請求項４】
前記プレート大及び前記プレート中の上部に、取っ手を設けたことを特徴とする請求項１〜請求項３の何れか１項に記載の浸水防止装置。
【請求項５】
前記支柱が、前記コンクリートに固定される底板と、前記底板に立設する縦板と、前記縦板の上部に連設され前記各プレートの連結部の上部に係止される鈎部とからなることを特徴とする請求項１〜請求項４のいずれか１項に記載の浸水防止装置。
【請求項６】
前記支柱の底板と縦板とに補強の筋かいを設け、底部及び縦板と、前記筋かいの間に空間を備え、強度を保ち軽量化したことを特徴とする請求項５に記載の浸水防止装置。
【請求項７】
前記支柱の縦板の両側面から突出し、前記支柱を前記コンクリートに固定する際に、前記各プレートの底面の前記枠の内側を押圧する押さえを備えることを特徴とする請求項２〜請求項６の何れか１項に記載の浸水防止装置。
【請求項８】
クランプが、コの字枠と、前記コの字枠の一側面に貫通した穴と、前記コの字枠の前記穴を跨ぎ取り付けられた偏心軸と、前記偏心軸を挿通され前記穴に位置する円盤と、前記円盤に接続し前記円盤を回動させ前記穴から前記コの字枠の内側へ前記円盤の突出厚を変更し前記各プレートの連結と解除を操作するハンドルとからなることを特徴とする請求項１〜請求項７の何れか１項に記載の浸水防止装置。
【請求項９】
前記支柱の底部とコンクリートの固定が、前記支柱の底板に切り込みを設けた上で、前記平坦面を備えるコンクリートに穿設されたネジ山を備える穴に前記切り込み位置においてボルトで固定することを特徴とする請求項１〜請求項８の何れか１項に記載の浸水防止装置。
【請求項１０】
前記コンクリートは、凹凸表面を研削し、新たに平坦面を打設してなることを特徴とする請求項１〜請求項９のいずれか１項に記載の浸水防止装置。
【発明の詳細な説明】
【技術分野】
【０００１】
本発明は、集中豪雨、台風、河川の氾濫などの洪水時、高潮、津波到来時に、戸建て住宅などの家屋、ビル、商業施設、駅構内、地下鉄入口、行政機関など公共施設などの建造物への浸水の侵入口に設置され、建造物内へ浸水を防止する浸水防止装置に関する。
【背景技術】
【０００２】
昨今、ゲリラ豪雨などで、冠水、建造物内への浸水の被害が連日のように報道されている。また、台風、河川の氾濫などの洪水、高潮、津波に伴う浸水もある。建造物が浸水すると、生命、生活が脅かされ、建造物が破損し、生命、正確に甚大に被害をもたらす。たとえ、浸水が床下浸水程度であっても、業務が滞り、建造物内に汚泥がたまり、家具、建具が汚れ、電気器機の故障の原因となる。また、後始末にも長い時間と労働を必要とする。建造物への浸水被害は、生命、財産、地域社会に甚大な損害をもたらし、浸水は年々増加傾向にあり、極めて大きな社会問題となっている。
【０００３】
浸水防水装置は、特許文献１−６など、複数公開されている。板状、Ｕ字型、Ｖ字型の壁を設置して浸水を防ぐのも、埋設してある板を引き上げるもの、板を溝に嵌めるもの、収納していた板壁をスライドさせて、家屋等の出入口、浸水の侵入口に設置するもの等、種々の形状、形式の防水装置がある。
【先行技術文献】
【特許文献】
【０００４】
【特許文献１】特開２００８−１７５０４５号公報
【特許文献２】特開２００７−２１８０６０号公報
【特許文献３】特開２００３−３１４１７３号公報
【特許文献４】特開２００３−１２００７０号公報
【特許文献５】特開２０１０−２０３１５８号公報
【特許文献６】特開２００３−２７８４５８号公報
【発明の概要】
【発明が解決しようとする課題】
【０００５】
しかしながら、それらは、複雑であったり、強度が足りなかったり、水密性が低いものであった。
【０００６】
そこで、本発明は、簡易な構造でかつ丈夫で、水密性が高い、従来にない形状、構造の浸水防止装置を提供することを目的とする。
【課題を解決するための手段】
【０００７】
本発明は、上記の課題を解決するために、
（１）
左右側面及び底面にパッキンを備え、横幅が異なる板状のプレート大、プレート中、プレート小、及び平面Ｌ字状の出隅プレート、前記出隅プレートと逆向きに凸の平面Ｌ字状の入隅プレートの内から選択される１種又は２種以上の各プレートを水平方向に連結させ、建造物への浸水の侵入口を塞ぐ形状とした着脱式の防水壁と、
上部が前記各プレートの連結部の上部に係止され、底部がコンクリートの略平坦面に固定される側面略三角形状の支柱と、
前記各プレートを連結するクランプと、
からなることを特徴とする浸水防止装置の構成とした。
（２）
前記プレート大が、
板と、前記板の背面側の外周部に立設した四角形状の枠と、前記枠の左右側面及び底面に設けたゴム状のパッキンと、前記枠の一側面の内側に設けられ前記クランプを係止する上下２つのＬ字板とからなり、
前記プレート中が、
板と、前記板の背面側の外周部に立設した四角形状の枠と、前記枠の左右側面及び底面に設けたゴム状のパッキンと、前記枠の一側面の内側に設けられ前記クランプを係止する上下２つのＬ字板とからなり、
前記プレート小が、
板と、前記板の背面側の外周部に立設した四角形状の枠と、前記枠の左右側面及び底面に設けたゴム状のパッキンと、前記枠の一側面の内側に設けられ前記クランプを係止する上下２つのＬ字板とからなり、
前記出隅プレートが、
平面Ｌ字の板と、前記Ｌ字板の背面側の外周部に立設したＬ字枠と、前記Ｌ字枠の左右側面及び底面に設けたゴム状のパッキンと、前記Ｌ字枠の一側面の内側に設けられ前記クランプを係止する上下２つのＬ字板とからなり、
前記入隅プレートが、
前記出隅プレートと逆向きに凸の平面Ｌ字の板と、前記Ｌ字板の背面側の外周部に立設したＬ字枠と、前記Ｌ字枠の左右側面及び底面に設けたゴム状のパッキンと、前記Ｌ字枠の一側面の内側に設けられ前記クランプを係止する上下２つのＬ字板とからなる、
ことを特徴とする（１）に記載の浸水防止装置の構成とした。
（３）
前記プレート大及び前記プレート中の板の背面側に、上下方向に２本の補強の縦枠を備えることを特徴とする（１）又は（２）に記載の浸水防止装置の構成とした。
（４）
前記プレート大及び前記プレート中の上部に、取っ手を設けたことを特徴とする（１）〜（３）の何れかに記載の浸水防止装置の構成とした。
（５）
前記支柱が、前記コンクリートに固定される底板と、前記底板に立設する縦板と、前記縦板の上部に連設され前記各プレートの連結部の上部に係止される鈎部とからなることを特徴とする（１）〜（４）のいずれかに記載の浸水防止装置の構成とした。
（６）
前記支柱の底板と縦板とに補強の筋かいを設け、底部及び縦板と、前記筋かいの間に空間を備え、強度を保ち軽量化したことを特徴とする（５）に記載の浸水防止装置の構成とした。
（７）
前記支柱の縦板の両側面から突出し、前記支柱を前記コンクリートに固定する際に、前記各プレートの底面の前記枠の内側を押圧する押さえを備えることを特徴とする（２）〜（６）の何れかに記載の浸水防止装置の構成とした。
（８）
クランプが、コの字枠と、前記コの字枠の一側面に貫通した穴と、前記コの字枠の前記穴を跨ぎ取り付けられた偏心軸と、前記偏心軸を挿通され前記穴に位置する円盤と、前記円盤に接続し前記円盤を回動させ前記穴から前記コの字枠の内側へ前記円盤の突出厚を変更し前記各プレートの連結と解除を操作するハンドルとからなることを特徴とする（１）〜（７）の何れかに記載の浸水防止装置の構成とした。
（９）
前記支柱の底部とコンクリートの固定が、前記支柱の底板に切り込みを設けた上で、前記平坦面を備えるコンクリートに穿設されたネジ山を備える穴に前記切り込み位置においてボルトで固定することを特徴とする（１）〜（８）の何れかに記載の浸水防止装置構成とした。
（１０）
前記コンクリートは、凹凸表面を研削し、新たに平坦面を打設してなることを特徴とする（１）〜（９）のいずれかに記載の浸水防止装置の構成とした。
【発明の効果】
【０００８】
本発明は、上記構成であるので、以下の効果を発揮する。建造物への浸水の侵入口を塞ぐように衝立状に設置することで、冠水の侵入、浸水を防ぐことができる。支柱を備えるため強度は十分に確保される。クランプによる連結、ボルトによるコンクリートへ着脱式であるので組み立ても容易で、短時間で設置でき、警報が発令された後であっても十分に間に合う。各プレートから設置場所の形状に適した至適組み合わせを選択することができるので、本発明の適用範囲が広く、経済的である。建造物への浸水を防止することができるので、浸水による生命、生活の危険を防ぐことができる。
【図面の簡単な説明】
【０００９】
【図１】図１（Ａ）は、浸水防止装置を設置、使用していない従来の家（戸建て住宅）の浸水の様子を示す模式図である。図１（Ｂ）は、本発明である浸水防止装置１を家周辺に囲むように設置し、使用したときの全体模式図（Ｂ）である。
【図２】図２（Ａ）は、プレート大、プレート中、プレート小、入隅プレート、入隅プレート、出隅プレートの各プレートを水平方向に連結させ、建造物への浸水の侵入口を塞ぐ形状とした着脱式の防水壁２の一例の正面側斜視図である。図２（Ｂ）は（Ａ）の背面側斜視図である。
【図３】図３（Ａ）は、プレート大、プレート中、プレート小、入隅プレート、入隅プレート、出隅プレートの各プレートを水平方向に連結させ、建造物への浸水の侵入口を塞ぐ形状とした着脱式の防水壁２ａの一例の正面側斜視図である。図３（Ｂ）は（Ａ）の背面側斜視図である。
【図４】図４（Ａ）は、プレート大、プレート中、プレート小、入隅プレート、入隅プレート、出隅プレートの各プレートを水平方向に連結させ、建造物への浸水の侵入口を塞ぐ形状とした着脱式の防水壁２ｂの一例の正面側斜視図である。図４（Ｂ）は（Ａ）の背面側斜視図である。
【図５】図５（Ａ）はプレート大の正面側斜視図、（Ｂ）は背面側斜視図である。
【図６】図６（Ａ）はプレート中の正面側斜視図、（Ｂ）は背面側斜視図である。
【図７】図７（Ａ）はプレート小の正面側斜視図、（Ｂ）は背面側斜視図である。
【図８】図８（Ａ）出隅プレートの正面側斜視図、（Ｂ）は背面側斜視図である。
【図９】図９（Ａ）入隅プレートの正面側斜視図、（Ｂ）は背面側斜視図である。
【図１０】図１０（Ａ）は支柱の正面側斜視図、（Ｂ）は背面側斜視図である。
【図１１】図１１（Ａ）はクランプの正面側斜視図、（Ｂ）は背面側斜視図である。
【図１２】支柱を固定するコンクリート面の説明図である。
【発明を実施するための形態】
【００１０】
以下、添付図面に基づき、本発明について詳細に説明する。なお、本発明は下記実施例に限定されるものではない。
【実施例１】
【００１１】
図１に示すように、本発明である浸水防止装置１は、図１〜図４等に示すように、家１１などの建造物への浸水１３ａの侵入口を塞ぐ形状とした防水壁２〜２ｃ・・・と、表面が略平坦なコンクリート１２に防水壁２〜２ｃ・・・をボルト１０などで固定される着脱式の支柱８と、クランプ９とからなり、側溝１４から溢れた出た冠水１３、洪水などから、建造物への浸水１３ａを防ぐ。家屋が浸水すると、土砂、流木１５などのゴミが屋内に溜まり、浸水後の後片付けをより困難にし、損害も大きくなる。
【００１２】
防水壁２〜２ｃ・・・は、左右側面及び底面にパッキンを備え、横幅が異なる板状のプレート大と、プレート中と、プレート小と、出隅プレートと、入隅プレートとの内から選択される１種又は２種以上の各プレートを水平方向に連結させ、建造物への浸水の侵入口を塞ぐ形状とする。
【００１３】
プレート大３は、図５に示すように、板３ａと、板３ａの背面側の外周部に立設した四角形状の枠３ｂと、枠３ｂの左右側面及び底面に設けたゴム状のパッキン３ｃと、枠３ｂの一側面の内側に設けられクランプ９を係止する上下２つのＬ字板３ｄと、上面に取り付けた取っ手３ｅと、板３ａの背面側に上下方向に２本の設けた補強の縦枠３ｆとからなる。取っ手３ｅがあることで、移動、設置が容易になる。
【００１４】
プレート中４は、図６に示すように、板４ａと、板４ａの背面側の外周部に立設した四角形状の枠４ｂと、枠４ｂの左右側面及び底面に設けたゴム状のパッキン４ｃと、枠４ｂの一側面の内側に設けられクランプ９を係止する上下２つのＬ字板４ｄと、上面に取り付けた取っ手４ｅとからなり、プレート大３より横幅が狭い。必要に応じて、プレート大３と同様に、背面に縦枠を設けてもよい。
【００１５】
プレート小５は、図７に示すように、板５ａと、板５ａの背面側の外周部に立設した四角形状の枠５ｂと、枠５ｂの左右側面及び底面に設けたゴム状のパッキン５ｃと、枠５ｂの一側面の内側に設けられクランプ９を係止する上下２つのＬ字板５ｄからなり、プレート中４より横幅が狭い。必要に応じて、プレート大３と同様に、背面に縦枠を設けてもよい。
【００１６】
出隅プレート６は、図８に示すように、平面Ｌ字の板６ａと、Ｌ字板の６ａの背面側の外周部に立設したＬ字枠６ｂと、Ｌ字枠６ｂの左右側面及び底面に設けたゴム状のパッキン６ｃと、Ｌ字枠６ｂの一側面の内側に設けられクランプ９を係止する上下２つのＬ字板６ｄとからなる。Ｌ字の板６ａの角部背面には、強度向上のため補強プレート６ｅが貼り付けられている。
【００１７】
入隅プレート７は、図９に示すように、出隅プレート６と逆向きに凸の平面Ｌ字の板７ａと、Ｌ字の板７ａの背面側の外周部に立設したＬ字枠７ｂと、Ｌ字枠７ｂの左右側面及び底面に設けたゴム状のパッキン７ｃと、Ｌ字枠７ｂの一側面の内側に設けられクランプ９を係止する上下２つのＬ字板７ｄとからなる。Ｌ字の板７ａの角部背面には、出隅プレート６強度向上のため補強プレートを貼り付けてもよい。
【００１８】
このようにしてなる防水壁は、各プレート間のパッキン同士がクランプで連結、締め付けられ、接触する。底部のパッキンはコンクリート１２と接触し、ボルト１０で支柱８によりコンクリート１２に押圧される。その結果、各パッキンの接触面の水密性は従来になく高い。
【００１９】
支柱８は、図１０に示すように、側面略三角形状で、コンクリート１２に固定される底板８ａと、底板８ａに立設する縦板８ｂと、縦板８ｂの上部に連設され各プレートの連結部の上部に係止される鈎部８ｃと、底板８ａと縦板８ｂとに設けた補強の筋かい８ｅと、縦板８ｂの両側面から突出し、支柱８をコンクリート１２に固定する際に、各プレートの底面の枠３ｂ、４ｂ、５ｂ及びＬ字枠６ｂ、７ｂの内側を押圧する押さえ８ｇとからなる。支柱８の底板８ａには、支柱８をコンクリート１２に固定するボルト１０が位置される切り込み８ｄが設けてある。
【００２０】
そして、支柱８は、底板８ａ及び縦板８ｂと、筋かい８ｅの間に空間８ｆを備える。これら構成とすることで、支柱８が浸水圧に耐える強度を保ちつつ、軽量化される。
【００２１】
クランプ９は、図１１に示すように、コの字枠９ａと、コの字枠９ａの一側面に貫通した穴９ｂと、コの字枠９ａの穴９ｂを跨ぎ取り付けられた偏心軸９ｃと、偏心軸９ｃを挿通され穴に位置する円盤９ｄと、円盤９ｄに接続し円盤９ｄを回動させ、穴９ｂからコの字枠９ａの内側へ円盤９ｄの突出厚を変更し各プレートの連結と解除を操作するハンドル９ｅとからなる。
【００２２】
各プレート、支柱８は、浸水圧に耐える素材、厚みであればよく、金属、強化樹脂などが例示できる。
【００２３】
次に、図１２を参照して、防水壁をコンクリート１２に固定する方法について説明する。図１２（Ａ）に示すように、先ず、支柱８の底面とコンクリート１２の接触面の水密性を高めるため、凹凸のあるコンクリート１２の表面１２ａは、研削され、図１２（Ｂ）に示すように、表面を平坦面１２ｂとする。
【００２４】
次に、図１２（Ｃ）（Ｄ）に示すように、支柱８を固定する位置に、予め、ネジ山１２ｄのある穴１２ｃを穿設する。図１２（Ｄ）は（Ｃ）のＡ−Ａ‘線断面である。
【００２５】
そして、図１２（Ｅ）に示すように、浸水が予想される場合には、予め、防水壁２ｃを所定の位置に設置する。支柱８の底板８ａとコンクリート１２の固定は、支柱８の底板８ａの切り込み８ｄの位置で、コンクリート１２に穿設されたネジ山１２ｄを備える穴１２ｃにボルト１０で固定する。これによりコンクリート１２と防水壁２ｃの間の水密性を高く維持するとともに、防水壁２ｃを頑丈に設置し、浸水の進入口を止水することができる。
【００２６】
クランプ９のハンドル９ｅを上下することで、偏心した円盤９ｄが回転し、隣り合うプレートの枠を挟持度合いが変化し、プレート同士を連結、乖離させることが極めて短時間かつ簡易にできる。隣り合うプレートが連結した場合には、クランプ９によりゴムパッキンが圧迫され、ゴムパッキン同士が水密に接触するため、プレート間からの浸水も防ぐことができる。
【符号の説明】
【００２７】
１      浸水防止装置
２      防水壁
２ａ    防水壁
２ｂ    防水壁
２ｃ    防水壁
３      プレート大
３ａ    板
３ｂ    枠
３ｃ    パッキン
３ｄ    Ｌ字板
３ｅ    取っ手
３ｆ    縦枠
４      プレート中
４ａ    板
４ｂ    枠
４ｃ    パッキン
４ｄ    Ｌ字板
４ｅ    取っ手
５      プレート小
５ａ    板
５ｂ    枠
５ｃ    パッキン
５ｄ    Ｌ字板
６      出隅プレート
６ａ    Ｌ字の板
６ｂ    Ｌ字枠
６ｃ    パッキン
６ｄ    Ｌ字板
６ｅ    補強プレート
７      入隅プレート
７ａ    Ｌ字の板
７ｂ    Ｌ字枠
７ｃ    パッキン
７ｄ    Ｌ字板
８      支柱
８ａ    底板
８ｂ    縦板
８ｃ    鈎部
８ｄ    切り込み
８ｅ    筋かい
８ｆ    空間
８ｇ    押さえ
９      クランプ
９ａ    コの字枠
９ｂ    穴
９ｃ    偏心軸
９ｄ    円盤
９ｅ    ハンドル
１０    ボルト
１１    家
１２    コンクリート
１２ａ  表面
１２ｂ  平坦面
１２ｃ  穴
１２ｄ  ネジ山
１３    冠水
１３ａ  浸水
１４    側溝
１５    流木
【図１】
2015055060.tif 000003
【図２】
2015055060.tif 000004
【図３】
2015055060.tif 000005
【図４】
2015055060.tif 000006
【図５】
2015055060.tif 000007
【図６】
2015055060.tif 000008
【図７】
2015055060.tif 000009
【図８】
2015055060.tif 000010
【図９】
2015055060.tif 000011
【図１０】
2015055060.tif 000012
【図１１】
2015055060.tif 000013
【図１２】
2015055060.tif 000014